(57)【要約】【課題】携帯電話の電子メールを分かりやすくする携帯端末装置を得る。【解決手段】ユーザが入力を行う操作部２０１と、画像から成る絵文字、該絵文字と所定の文字列とを関連付ける情報とを記憶する記憶部２３と、該絵文字を表示する表示部１０１とから成る携帯端末装置であって、電子メール本文中に前記文字列が入力されると前記文字列に関連付けられた複数の絵文字が一文単位で前記文字列の隣接する位置に挿入又は前記文字列と置換可能とする。【選択図】図３
2010015221.tif 000002
【特許請求の範囲】
【請求項１】
ユーザが入力を行う操作部と、画像から成る絵文字、該絵文字と所定の文字列とを関連付ける情報とを記憶する記憶部と、該絵文字を表示する表示部とから成る携帯端末装置であって、
電子メール本文中に前記文字列が入力されると前記文字列に関連付けられた複数の絵文字が一文単位で前記文字列の隣接する位置に挿入又は前記文字列と置換可能とすることを特徴とする携帯端末装置。
【請求項２】
前記絵文字の挿入率、挿入位置または他の絵文字に変更を可能とし、携帯端末装置の有するメール本文のサイズ内に調整可能とすることを特徴とする請求項１に記載の携帯端末装置。
【請求項３】
前記文字列及び前記絵文字の使用回数を把握でき、前記文字列及び前記絵文字を編集するには重複登録を排除することができることを特徴とする請求項２に記載の携帯端末装置。
【発明の詳細な説明】
【技術分野】
【０００１】
本発明は携帯端末装置に関する。
【背景技術】
【０００２】
現在、携帯電話機等の携帯端末装置を用いた電子メールによるコミュニケーションが大きく普及している。特許文献１に示すように送受信される電子メール本文は、絵文字や顔文字を多用している。そのため、従来のパーソナルコンピュータにおける純粋に文字のみで構成されたデータであるプレーンテキスト（Plain  Text）のメッセージと比較すると、表現が豊かになっている。
【０００３】
【特許文献１】特開２００６−２１１２９４号公報
【発明の開示】
【発明が解決しようとする課題】
【０００４】
特許文献１に開示される装置によると、テキストデータのみの電子メール本文に比べると表現豊かな電子メールが作成できる。しかし、このような絵文字を使った表現豊かな電子メールを作成する際、絵文字の入力については特定のキーを押下することにより絵文字のリストを表示させる必要がある。そしてユーザが一つ一つ絵文字を選択して入力するために、手間と時間がかかってしまう。また、絵文字選択を手動で行うために、選択ミスの発生が生じてしまう。さらに、絵文字の入力に慣れていないユーザが利用する場合は、どのような頻度でどのような絵文字を入れてよいのか全く分からない状態になっている。
【０００５】
本発明は、利便性を向上できる携帯端末装置を提供することを目的とする。
【課題を解決するための手段】
【０００６】
上記目的を達成するために、本発明の携帯端末装置は、ユーザが入力を行う操作部と、画像から成る絵文字、該絵文字と所定の文字列とを関連付ける情報とを記憶する記憶部と、該絵文字を表示する表示部とから成る携帯端末装置であって、電子メール本文中に前記文字列が入力されると前記文字列に関連付けられた複数の絵文字が一文単位で前記文字列の隣接する位置に挿入又は前記文字列と置換可能とすることを特徴とする。
【０００７】
この構成によると、ユーザは表示部を閲覧しながら操作部によってこれから送信する電子メール本文を一文単位で入力する。電子メール本文中、所定の文字列に関連する複数の絵文字が、絵文字を記憶する記憶部より抽出され、前記文字列の隣接する位置に絵文字が挿入又は前記文字列と置換される。
【０００８】
これにより、電子メールの絵文字を利用した本文の入力をし易くし、複数の絵文字を使用した表現豊かな電子メール本文を簡易に作成できる。
【０００９】
また本発明は、上記構成の携帯端末装置において、前記絵文字の挿入率、挿入位置または他の絵文字に変更を可能とし、携帯端末装置の有するメール本文のサイズ内に調整可能とすることを特徴とする。これにより、絵文字の挿入率を制御することで資源の限られた携帯端末装置の資源を有効活用するとともに、電子メールの絵文字を利用した本文の入力をし易くし、複数の絵文字を使用した表現豊かな電子メール本文を簡易に作成できる。
【００１０】
また本発明は、上記構成の携帯端末装置において、前記文字列及び前記絵文字の使用回数を把握でき、前記文字列及び前記絵文字を編集するには重複登録を排除することができることを特徴とする。これにより、使用回数を参考にして、電子メールの絵文字を利用した本文の入力をし易くし、複数の絵文字を使用した表現豊かな電子メール本文を簡易に作成できるとともに、重複登録を排除した適切な電子データの管理ができる。
【発明の効果】
【００１１】
本発明によると、電子メールの絵文字を利用した本文の入力をし易くし、複数の絵文字を使用した表現豊かな電子メール本文を簡易に作成できる。従って利便性が向上する。
【発明を実施するための最良の形態】
【００１２】
本発明の実施形態について図面を参照して説明する。
【００１３】
図１は本発明の第１の実施形態による携帯電話機１の筐体を展開した状態を示し、図２は筐体を折り畳んだ状態を示す外観図である。この携帯電話機１はいわゆる折り畳み式の携帯電話機であり、本体を構成する表示筐体１００、操作筐体２００、ヒンジ部３００を有している。表示筐体１００及び操作筐体２００は長方形状に形成され、ヒンジ部３００を介して連結されている。これにより表示筐体１００及び操作筐体２００の筐体面を対向させた状態で折り畳むことができるようになっている。
【００１４】
表示筐体１００には折り畳んだ状態で操作筐体２００に対向する内面に第一表示部１０１及び受話用レシーバ１０３が形成される。表示筐体１００の外面には第２表示部１０２及びカメラ１０４が設けられている。表示筐体１００の端部には通信用アンテナ２１が設けられている。第１、２表示部１０１、１０２はそれぞれ液晶表示パネルにより形成されている。受話用レシーバ１０３は表示筐体１００におけるヒンジ部３００と反対側の端部に配置され、通話時に相手方電話機からの音声を出力する。カメラ１０４は被写体を撮像するための撮像手段である。通信用アンテナ２１は基地局と通信するために用いられる。
【００１５】
操作筐体２００には折り畳んだ状態で表示筐体１００に対向する内面に操作部２０１及び送話用マイクロホン２０２が設けられている。操作部２０１は決定キー２０３、十字キー２０４、オンフックキー２０５、オフフックキー２０６、ガイドキー２０７等を有している。決定キー２０３は携帯電話の起動時において主に決定動作をする。十字キー２０４は携帯電話機１の起動時において主に項目選択をする。またオンフックキー２０５は携帯電話機１の起動時において主に終話動作や終了処理を実行する。さらにオフフックキー２０６は携帯電話機１の起動時において主に発信動作を実行する。ガイドキー２０７は動作状況によって種々の機能が割り当てられる。送話用マイクロホン２０２は操作筐体２００におけるヒンジ部３００と反対側の端部に配置され、通話時にユーザの音声が入力される。
【００１６】
図３は本発明の携帯電話機１の内部構造を表すブロック図である。
【００１７】
この携帯電話機１はプロセッサからなるとともに各部を制御する制御部１０を備える。制御部１０によりそれぞれ制御可能な通信部２０、外部接続部２２、記憶部２３、電源部２６、第一表示部１０１、第二表示部１０２、操作部２０１、送話用マイクロホン２０２、受話用レシーバ１０１、カメラ１０４が接続される。
【００１８】
通信部２０は通信用アンテナ２１を介して基地局との間で電波を送受信する。相手方電話機との間で通話を行う際には、まず相手方電話機との間で通信状態が確立する。そして、送話用マイクロホン２０２から入力されるユーザの音声信号が通信部２０から送信される。また、相手方電話機からの音声信号が通信部２０で受信され、その音声信号に基づく音声が受話用レシーバ１０３から出力される。また、通信部２０は基地局を介して文章データを送受信することにより、相手方電話機との間で電子メールの送受信を行うことができる。
【００１９】
外部接続部２２は外部機器からの音声や画像等のデータ入出力を行う。
【００２０】
記憶部２３は内部メモリ２４と外部メモリ２５によって構成され、携帯電話機１を制御するプログラムや各種設定情報を記憶する。内部メモリ２４は携帯電話機１の本体内に固定されたＲＡＭ又はＲＯＭからなる。一方、外部メモリ２５はＳＤ(Secure Digital)カードなどのメモリーカードからなり、携帯電話機１の本体に対して着脱可能に構成されている。
【００２１】
記憶部２３には図６に示すような絵文字と所定の文字列と使用回数が対応している表を有している。左の列には絵文字Ｎｏがあり、このＮｏにより絵文字が特定できる。さらに絵文字には所定の文字列が対応している。所定の文字列としては名詞や述部等がある。また、その所定の文字列ごとに使用回数が記憶されている。カッコ内は使用回数を表している。一番右寄の列は絵文字の挿入率が記憶されている。上記以外にも絵文字と所定の文字列ごとに登録日時等が記憶されている。
【００２２】
電源部２６は携帯電話機１を構成する各部を駆動させるための電力の供給や、電池の充電などを行う。
【００２３】
図４及び図５は上記構成の携帯電話機１で実行されるプログラムの動作を示すフローチャートである。
【００２４】
ステップＳ１ではユーザは携帯電話機１の操作部２０１を操作し、電子メール本文を入力する。本発明においては電子メール本文として、絵文字変換対象の一文が入力され、それが絵文字変換対象となる。
【００２５】
ステップＳ２ではステップＳ１で入力された電子メール本文の一文に対して文書解析がなされる。本実施形態においては所定の文字列として、名詞と述部等に分離されて文書解析がされる。例えば図７に示すように「今日は、雪ではなく晴れてよかったね。」という一文が入力されると「今日」、「は、」「雪」、「ではなく」、「晴れ」、「て」、「よかったね。」と名詞と助詞や述部等に分離される。
【００２６】
ステップＳ３では入力された一文中に、絵文字に関連する所定の文字列があるかの判定がされる。関連があるか否かの判定は図６に示すように絵文字と所定の文字列との対応表によって判断される。例えば入力された一文の中が「今日は、雪ではなく晴れてよかったね。」という一文が入力された場合には、「雪」と「晴れ」という所定の文字列が図６の対応表によって関連があると判断される。関連があると判断されるとステップＳ４へ移行する。絵文字に関連する所定の文字列がない場合には変換対象がないとして終了する。
【００２７】
ステップＳ４では絵文字に関連する所定の文字列があった場合に、絵文字を隣接する位置に挿入するか否かが判定される。挿入する場合にはステップＳ５へ移行する。挿入しない場合にはステップＳ８へ移行する。挿入するか否かは設定によって可能である。
【００２８】
ステップＳ５では絵文字を隣接位置に挿入する場合において、絵文字を所定の文字列の後ろに挿入するか否かが判定される。後ろに挿入される場合にはステップＳ６へ移行する。前に挿入する場合にはステップＳ７へ移行する。隣接する位置は設定によってデフォルトの設定で後ろにするとしてもよいし、前としてもよい。さらに絵文字や所定の文字列ごとに隣接位置を設定によって変えることも可能である。このように自由に隣接位置を変更できることで、電子メールの絵文字を利用した本文の入力をし易くし、複数の絵文字を使用した表現豊かな電子メール本文を簡易に作成できる。
【００２９】
ステップＳ６では所定の文字列の後ろに絵文字が挿入される。例えば図７に示すように「雪」や「晴れ」という所定の文字列に対応する絵文字として「雪だるま」や「太陽」の絵文字が図８に示すように挿入される。さらに「○○さんの結婚式の2次会の件だけど、5/9に△△のレストランを広島で予約しました。」という一文が入力された場合には、レストランや広島に対応する絵文字が図８に示すように挿入される。そして、使用された絵文字と所定の文字列はカウントされ使用回数として記憶部２３に記憶される。
【００３０】
ステップＳ７では所定の文字列の前に絵文字が挿入される。例えば図７に示すように「会費は□□円で行こうと思ってます」という一文に対しては「会費」という所定の文字列に対応する絵文字が図８に示すように「会費」という所定の文字列の前に挿入される。そして、使用された絵文字と所定の文字列はカウントされ使用回数として記憶部２３に記憶される。
【００３１】
ステップＳ８では所定の文字列と絵文字が置換される。例えば図７に示すように「■■円浮くので、景品を確保お願い。」という一文に対しては「お願い」という所定の文字列（述部）が図８に示すような絵文字に置換される。そして、使用された絵文字と所定の文字列はカウントされ使用回数として記憶部２３に記憶される。
【００３２】
ステップＳ９では所定のルールによって絵文字が削除される。ステップＳ６やＳ７において、絵文字をメール本文中に挿入される。しかし、ユーザが意図している以上に絵文字が挿入される可能性がある。そのような場合にはメール本文として絵文字が必要以上に入っており煩雑となり醜い。そのような場合には所定のルールの下に絵文字を削除することができる。所定のルールの一例としては、絵文字を除いたメール本文の文字数に対して絵文字の数は所定の比率に抑えるというルールがある。所定の比率としては、１０パーセント、３０パーセント、５０パーセント、７０パーセント等を選択できる。さらに図６に示すような対応表から絵文字ごとにユーザの所望する挿入率によって設定することができる。これにより絵文字がメール本文内に挿入しすぎることなく、ユーザが意図するような表現豊かな電子メール本文を簡易に作成することが可能になる。
【００３３】
ステップＳ１０では挿入された絵文字によって携帯電話機１の有するメール本文のサイズをオーバーしているか判定する。オーバーしている場合にはステップＳ１１へ移行する。オーバーしていない場合にはステップＳ１２へ移行する。
【００３４】
ステップＳ１１では挿入した絵文字が携帯電話機１の入力できるサイズにまで削除される。削除するルールとしてはステップＳ９のルールを適用し、入力できるサイズまで削除していってもよい。これにより、携帯電話機１の有するメール本文のサイズ内に調整可能とすることができるとともに、電子メールの絵文字を利用した本文の入力をし易くし、複数の絵文字を使用した表現豊かな電子メール本文を簡易に作成できる。
【００３５】
ステップＳ１２では上記処理によってでき上がった電子メール本文を表示部１０１から閲覧することで、ユーザによる確認がなされる。
【００３６】
ステップＳ１３ではユーザによって修正があるのか否かの判定が行う。修正がある場合にはステップＳ１４へ移行する。修正が無い場合にはフローチャートは終了する。
【００３７】
ステップＳ１４ではユーザによって操作部２０１で携帯電話機１を操作しながら、電子メール本文の修正を行う。
【００３８】
以上のような処理を行うことで電子メールの絵文字を利用した本文の入力をし易くし、複数の絵文字を使用した表現豊かな電子メール本文を簡易に作成できる。従って利便性が向上する。
【００３９】
次に図６に示すように所定の文字列や絵文字の編集方法について図９のフローチャートを用いて説明する。
【００４０】
ステップＳ２０では所定の文字列を編集するかを選択する。所定の文字列を選択する場合にはステップＳ２１へ移行する。所定の文字列ではなく、絵文字を編集する場合にはステップＳ２６へ移行する。
【００４１】
ステップＳ２１では所定の文字列を選択する。具体的には所定の文字列に対応する絵文字のＮｏを決定する。例えば「冬」という所定の文字列を追加する場合には図６に示すようにＮｏ２が該当する。
【００４２】
ステップＳ２２ではユーザによって所定の文字列の編集又は追加される。
【００４３】
ステップＳ２３では編集又は追加した所定の文字列が他の絵文字に対応する所定の文字列と重複されているか判定される。重複がある場合にはステップＳ２４へ移行する。重複がない場合にはステップＳ２５へ移行する。
【００４４】
ステップＳ２４では重複した所定の文字列が表示される。これによって重複した所定の文字列を排除することができる。
【００４５】
ステップＳ２５では所定の文字列の編集又は追加の作業が終り入力は確定する。確定した所定の文字列は記憶部２３に保存される。この場合追加された場合の所定の文字列は使用回数がゼロとして、挿入率も所定の数値として記憶部２３に記憶する。
【００４６】
ステップＳ２６ではどの絵文字を編集するか選択する。即ち、絵文字に対応するＮｏを決定する。例えば新たな雪だるまの絵文字を変更する場合にはＮｏ２が該当する。
【００４７】
ステップＳ２７ではユーザによって絵文字の編集又は追加される。
【００４８】
ステップＳ２８では編集又は追加した絵文字が他の絵文字と重複されているか判定される。重複の判定方法はファイル名、ファイルサイズ、所定の文字列（名詞や述部等）との関連性等がある。重複がある場合にはステップＳ２９へ移行する。重複がない場合にはステップＳ３０へ移行する。
【００４９】
ステップＳ２９では重複した絵文字が表示される。これによって重複した絵文字を排除することができる。
【００５０】
ステップＳ３０では絵文字の編集又は追加の作業が終了し入力が確定し、記憶部２３に記憶される。
【００５１】
また、新規に絵文字を追加する場合には、同時に所定の文字列の追加の作業も行われる。
【００５２】
また、この発明の実施の形態に係る携帯端末装置において図４のフローチャートにおけるステップＳ１１では挿入絵文字を入力可能になるまで削除した。しかし一文単位で絵文字に挿入するのではなく、電子メール本文全体が一旦全て作成された段階で、携帯電話機１で入力可能な絵文字数を計算して絵文字を挿入してもよい。
【００５３】
本実施形態においては、所定の文字列に絵文字を挿入や置換をしたが、所定の文字列としては動詞、形容詞、副詞、副助詞、ＵＲＬ（Ｕｎｉｆｏｒｍ Ｒｅｓｏｕｒｃｅ Ｌｏｃａｔｏｒ）等に関連する絵文字を作成してもよい。
【００５４】
第１実施形態において、携帯端末装置は携帯電話機に搭載されるが、本発明はこれに限られず、ＰＨＳやコードレス電話機等の他の装置に搭載してもよい。
【産業上の利用可能性】
【００５５】
本発明によると携帯電話機、ＰＨＳ、コードレス電話機等の携帯端末装置に利用することができる。
【図面の簡単な説明】
【００５６】
【図１】本発明の実施形態の携帯電話機の構成図
【図２】本発明の実施形態の携帯電話機の構成図
【図３】本発明の実施形態の携帯電話機の構成を表すブロック図
【図４】本発明の実施形態の携帯電話機の動作を示すフローチャート
【図５】本発明の実施形態の携帯電話機の動作を示すフローチャート
【図６】本発明の実施形態の携帯電話機の絵文字と所定の文字列の対応図
【図７】本発明の実施形態の携帯電話機における送信する電子メール本文の一例を示す図
【図８】本発明の実施形態の携帯電話機における送信する電子メール本文の一例を示す図
【図９】本発明の実施形態の携帯電話機の動作を示すフローチャート
【符号の説明】
【００５７】
１    携帯電話機
１０    制御部
２２    外部接続部
２３    記憶部
１０１  第一表示部
２０１  操作部
【図１】
2010015221.tif 000003
【図２】
2010015221.tif 000004
【図３】
2010015221.tif 000005
【図４】
2010015221.tif 000006
【図５】
2010015221.tif 000007
【図６】
2010015221.tif 000008
【図７】
2010015221.tif 000009
【図８】
2010015221.tif 000010
【図９】
2010015221.tif 000011